(57)【特許請求の範囲】
【請求項１】
ユニットバスの床面を構成する防水パンを貫通させて、室内側に配管を立ち上げる配管構造において、前記防水パンには前記配管の外径よりも大径の貫通孔を設け、該貫通孔にはパッキンを挟んでソケットを締め付け部材で締め付け固定し、ソケット内に前記配管を通して室内側に配管を導くとともに、室内側において配管外周に軟質材の配管カバーを被せ、該配管カバーを別の締め付け部材で前記ソケットに締め付け固定するユニットバスの配管構造において、前記配管カバーは、中空の略円錐形に形成され、切断位置を変えることによって、前記配管の外径に対応した貫通部が得られるように構成されていることを特徴とするユニットバスの配管構造。
【請求項２】
ユニットバスの床面を構成する防水パンを貫通させて、室内側に配管を立ち上げる配管構造において、前記防水パンには前記配管の外径よりも大径の貫通孔を設け、該貫通孔にはパッキンを挟んでソケットを締め付け部材で締め付け固定し、ソケット内に前記配管を通して室内側に配管を導くとともに、室内側において配管外周に軟質材の配管カバーを被せ、該配管カバーを別の締め付け部材で前記ソケットに締め付け固定するユニットバスの配管構造において、前記配管カバーの下面にはフランジ部が形成され、該フランジ部は、配管の芯とソケットの挿通筒部の芯がズレている場合でも、ソケットの挿通筒部を覆うことのできる大きさに設定されているとともに、ソケットの挿通筒部の外側へはみ出した部分は切断することにより、ソケットに前記締め付け部材を締め付けできるように構成されていることを特徴とするユニットバスの配管構造。
【請求項３】
前記ソケットの挿通筒部の上端側外周には、配管カバーのフランジ部の切り残しを呑み込むことのできるネジの存在しない段差部が形成されていることを特徴とする請求項２に記載のユニットバスの配管構造。
【発明の詳細な説明】
【０００１】
【発明の属する技術分野】
この発明は、ユニットバスの防水パンを貫通させて、室内側に配管を立ち上げる配管構造に関するものである。
【０００２】
【従来の技術及び発明が解決しようとする課題】
従来、例えば特開平９−６００６８号公報に開示されているように、ユニットバスの底面を構成する防水パンの底側から、防水パンを貫通させて室内側に給水管，給湯管等の配管を立ち上げる場合、従来においては、防水パンに大きな開口部を設け、この開口部を通して配管を立ち上げており、開口部には蓋をネジ等で取り付けて、蓋で開口部を止水するようにしているが、従来では、蓋をネジ等で防水パンに止め付けるものであるため、均一に蓋と防水パンを接合することが困難であり、確実な止水性能を確保することが難しいという問題点があった。
【０００３】
【課題を解決するための手段】
本発明は上記従来の問題点に鑑み案出したものであって、防水パンの開口を確実に止水した状態で配管を立ち上げることのできるユニットバスの配管構造を提供せんことを目的とし、その第１の要旨は、ユニットバスの床面を構成する防水パンを貫通させて、室内側に配管を立ち上げる配管構造において、前記防水パンには前記配管の外径よりも大径の貫通孔を設け、該貫通孔にはパッキンを挟んでソケットを締め付け部材で締め付け固定し、ソケット内に前記配管を通して室内側に配管を導くとともに、室内側において配管外周に軟質材の配管カバーを被せ、該配管カバーを別の締め付け部材で前記ソケットに締め付け固定するユニットバスの配管構造において、前記配管カバーは、中空の略円錐形に形成され、切断位置を変えることによって、前記配管の外径に対応した貫通部が得られるように構成されていることである。
また、第２の要旨は、ユニットバスの床面を構成する防水パンを貫通させて、室内側に配管を立ち上げる配管構造において、前記防水パンには前記配管の外径よりも大径の貫通孔を設け、該貫通孔にはパッキンを挟んでソケットを締め付け部材で締め付け固定し、ソケット内に前記配管を通して室内側に配管を導くとともに、室内側において配管外周に軟質材の配管カバーを被せ、該配管カバーを別の締め付け部材で前記ソケットに締め付け固定するユニットバスの配管構造において、前記配管カバーの下面にはフランジ部が形成され、該フランジ部は、配管の芯とソケットの挿通筒部の芯がズレている場合でも、ソケットの挿通筒部を覆うことのできる大きさに設定されているとともに、ソケットの挿通筒部の外側へはみ出した部分は切断することにより、ソケットに前記締め付け部材を締め付けできるように構成されていることである。
また、第３の要旨は、前記ソケットの挿通筒部の上端側外周には、配管カバーのフランジ部の切り残しを呑み込むことのできるネジの存在しない段差部が形成されていることである。
【０００４】
【発明の実施の形態】
以下、本発明の実施例を図面に基づいて説明する。
図１〜図４は第１実施例を示すものであり、図１に示すような、ユニットバスの底面を構成する防水パン１の、底側に配設された配管２，２を、防水パン１を貫通させて上方へ立ち上げさせる場合、本例では図２の拡大分解斜視図で示すような構成部材が用いられる。
【０００５】
即ち、図２において、防水パン１には、給水管，給湯管等の配管２，２を、それぞれ下方から上方へ立ち上げ状に通すことのできる貫通孔１ａ，１ａが予め所定位置に貫通形成されており、この各貫通孔１ａは、配管２の外径寸法よりも大径に形成されている。
この貫通孔１ａ内には、パッキン４を介在させて、上方よりソケット３の下雄ネジ部３ｅが差し込まれ、下雄ネジ部３ｅに対し、防水パン１の裏側より袋ナット５が締め付けられて、貫通孔１ａにソケット３が締め付け固定されるものである。
【０００６】
ソケット３は、スパナをかける六角部３ａの下面に、鍔部３ｂが形成されて、配管２の外径よりも十分な大きさの内径に設定された筒状の挿通筒部３ｃが上下方向に設けられ、この挿通筒部３ｃの上部外周には上雄ネジ部３ｄが形成されており、また、鍔部３ｂよりも下方の挿通筒部３ｃの外周には、下雄ネジ部３ｅが形成されている。
また、袋ナット５は、上面に鍔部５ｂを備えて、内周には雌ネジ部５ａが形成されており、この雌ネジ部５ａが、ソケット３の下雄ネジ部３ｅに締め付けられるものである。
【０００７】
なお、図３の分解断面図で示すように、ソケット３の下雄ネジ部３ｅをパッキン４を介在させて貫通孔１ａ内に差し込んだ状態における、防水パン１の裏面から下雄ネジ部３ｅの下端までの距離Ｌ１が、袋ナット５の雌ネジ部５ａの寸法Ｌよりも短くなるように設定されており、パッキン４と防水パン１を挟み込んで、袋ナット５を下雄ネジ部３ｅに強く締め付け固定できるように構成されている。
【０００８】
なお、図３において、ソケット部３の上雄ネジ部３ｄの付け根から上端までの距離Ｌ２は、袋ナット５の雌ネジ部５ａの寸法Ｌよりも長い寸法に設定されている。
なお、ソケット３の上雄ネジ部３ｄの上端から、更に上方に一体状に突出して、ネジの存在しない段差部３ｆが挿通筒部３ｃの上端外周に形成されており、この段差部３ｆで、後述する配管カバーの切り残し部分を逃げることができるように構成されている。
【０００９】
配管２を防水パン１の裏側から、締め付け固定したソケット３の挿通筒部３ｃ内に挿通させて、配管２を防水パン１の上方の室内側に立ち上げることができ、ソケット３より上方へ立ち上げられた配管２に対し、室内側では配管２の外周に、軟質材で形成された配管カバー６が被せられるものであり、この配管カバー６は、中空円錐形状に形成された円錐形部６ａと、その下端で外側へリング状に突出形成されたフランジ部６ｂで構成されており、このフランジ部６ｂは、ソケット３の挿通筒部３ｃの外径寸法よりも大なる寸法に設定されており、ソケットの挿通筒部３ｃ上にフランジ部６ｂが当接されて、挿通筒部３ｃを水密状に覆うことができるように設定されている。
【００１０】
なお、この配管カバー６を配管２に被せる際には、円錐形部６ａを、図３に示すように適宜切断して、上端側に貫通部６ｃを形成させ、この貫通部６ｃ内に配管２を通すことができるものである。
即ち、円錐形部６ａの切断位置を適宜変えることで、貫通部６ｃの内径を配管２の外径寸法に対応させることができ、適当な位置で切断して貫通部６ｃを形成させ、配管２の外周にこの貫通部６ｃをほぼ密着状にして、配管２の外周に配管カバー６を被せることができるものである。
【００１１】
その後に、袋ナット７をソケット３の上雄ネジ部３ｄに上方側から締め付けることにより、図４の断面図で示すように、配管カバー６のフランジ部６ｂを、ソケット３の上端と袋ナット７間で挟み付けて固定することができ、配管２は確実に止水された状態で、防水パン１上の室内側へ立ち上げ状に配管されるものである。
袋ナット７は、前記袋ナット５と共通化された同一規格のものであり、逆向きにして用いることができ、袋ナット５と同様に、内側に雌ネジ部７ａが形成され、また鍔部７ｂが形成されたものである。
【００１２】
なお、図４のように袋ナット７を締め付ける際に、配管２の芯Ｃ２と、ソケット３の挿通筒部３ｃの芯Ｃ３との間に、芯ズレが生じている場合でも、良好に配管カバー６のフランジ部６ｂが、挿通筒部３ｃの上面を覆って止水することができ、この場合、挿通筒部３ｃの外側へはみ出したフランジ部６ｂの部分は、適宜切断することができるものである。
なお、フランジ部６ｂを切断した場合に、切り残し部分が多少存在していても、ソケットの上雄ネジ部３ｄに袋ナット７の雌ネジ部７ａを締め付けていく時に、フランジ部６ｂの切り残し部は良好に段差部３ｆに呑み込まれて、袋ナット７をソケット３に締め付けていくのに支障が生ずることがない。即ち、袋ナット７の雌ネジ部７ａの内側と段差部３ｆの外周間には、フランジ部６ｂの切り残し部を呑み込むことのできるクリアランスが形成されるものである。
【００１３】
このような配管構造では、従来のような蓋が不要となり、蓋をネジ等で締め付ける場合には接合が不均一となるが、本例では、パッキン４を介在させてソケット３を袋ナット５で締め付けて固定するものであるため、防水パン１の貫通孔１ａを確実に止水することができ、また、更に配管２の外周に配管カバー６を被せて、この配管カバー６を、袋ナット７でソケット３に締め付けるものであるため、配管の止水も確実に行えて止水性能が確実なものとなる。
【００１４】
なお、図５の分解断面構成図で、また図６の組図で示すものは、第２実施例であり、この図５及び図６の第２実施例では、一対の締め付け部材１５，１７は、その外周に雄ネジ部１５ｂ，１７ｂを備えており、内周側に、配管２を通す通し孔１５ｃ，１７ｃが形成されている。また、外周側にはスパナ等をかける六角部１５ａ，１７ａが形成されている。なお、この締め付け部材１５と１７は、同一のもので共通化することができるものである。
また、ソケット１３は、その内周側に配管２を通す挿通筒部１３ａが形成されており、この挿通筒部１３ａの上部内周には上雌ネジ部１３ｂが、また挿通筒部１３ａの下部内周には下雌ネジ部１３ｃが形成されたものとなっており、この上雌ネジ部１３ｂあるいは下雌ネジ部１３ｃに、前記締め付け部材１５，１７の雄ネジ部１５ｂ．１７ｂを締め付けできるように構成されている。
【００１５】
なお、パッキン４および配管カバー６は、第１実施例のものと同様なものであり、配管カバー６のフランジ部６ｂは、ソケット１３の挿通筒部１３ａの上面側を覆うことができる寸法に形成されている。
このような構成では、図６に示すように、防水パン１の貫通孔１ａの上面に、パッキン４を介在させて置かれたソケット１３に対し、貫通孔１ａの下方より、締め付け部材１５の雄ネジ部１５ｂをソケット１３の下雌ネジ部１３ｃに締め付けて、ソケット１３を貫通孔１ａに水密状に固定することができ、その後に、通し孔１５ｃおよび挿通筒部１３ａ内に、下方より配管２を通して、防水パン１の上方の室内側に立ち上げ、その後に、配管２に配管カバー６を被せ、ソケット１３の上雌ネジ部１３ｂに対し、上方より締め付け部材１７の雄ネジ部１７ｂを締め付けて、配管カバー６をソケット１３に水密状に固定し、配管カバー６で配管２の外周を止水するものである。
本例においても、確実な止水性能を確保して配管を室内側に立ち上げることができるものとなる。
【００１６】
【発明の効果】
本発明は、ユニットバスの床面を構成する防水パンを貫通させて、室内側に配管を立ち上げる配管構造において、前記防水パンには前記配管の外径よりも大径の貫通孔を設け、該貫通孔にはパッキンを挟んでソケットを締め付け部材で締め付け固定し、ソケット内に前記配管を通して室内側に配管を導くとともに、室内側において配管外周に軟質材の配管カバーを被せ、該配管カバーを別の締め付け部材で前記ソケットに締め付け固定するユニットバスの配管構造において、前記配管カバーは、中空の略円錐形に形成され、切断位置を変えることによって、前記配管の外径に対応した貫通部が得られるように構成されているため、ソケットを防水パンの貫通孔にパッキンを介在させて水密状に固定することができ、更に適宜配管カバーを切断し、配管に水密状に被せて、配管カバーによりソケットと配管間の止水性能を確保することができ、従来のような蓋が不要となり、確実な止水性能を確保できる効果を有する。
【００１７】
また、ユニットバスの床面を構成する防水パンを貫通させて、室内側に配管を立ち上げる配管構造において、前記防水パンには前記配管の外径よりも大径の貫通孔を設け、該貫通孔にはパッキンを挟んでソケットを締め付け部材で締め付け固定し、ソケット内に前記配管を通して室内側に配管を導くとともに、室内側において配管外周に軟質材の配管カバーを被せ、該配管カバーを別の締め付け部材で前記ソケットに締め付け固定するユニットバスの配管構造において、前記配管カバーの下面にはフランジ部が形成され、該フランジ部は、配管の芯とソケットの挿通筒部の芯がズレている場合でも、ソケットの挿通筒部を覆うことのできる大きさに設定されているとともに、ソケットの挿通筒部の外側へはみ出した部分は切断することにより、ソケットに前記締め付け部材を締め付けできるように構成されていることにより、ソケットを防水パンの貫通孔にパッキンを介在させて水密状に固定することができ、更に配管カバーによりソケットと配管間の止水性能を確保することができ、芯ズレが生じている場合でも、配管カバーのフランジ部により確実に止水することができるものとなる。
【００１８】
また、ソケットの挿通筒部の上端側外周には、配管カバーのフランジ部の切り残しを呑み込むことのできるネジの存在しない段差部が形成されていることにより、フランジ部の切り残しが段差部に吸収されて、良好にソケットに締め付け部材を締め付けていくことができるものとなる。
【図面の簡単な説明】
【図１】  防水パンに配管を立ち上げた状態の斜視構成図である。
【図２】  防水パンの貫通孔に対する配管構成部材の分解斜視図である。
【図３】  図２の構成部材の寸法関係を示す分解断面図である。
【図４】  図２の構成部材を組み付けた状態の断面構成図である。
【図５】  第２実施例の構成部材の分解断面構成図である。
【図６】  図５の構成部材を組み付けた状態の断面構成図である。
【符号の説明】
１  防水パン
１ａ  貫通孔
２  配管
３  ソケット
３ａ  六角部
３ｂ  鍔部
３ｃ  挿通筒部
３ｄ  上雄ネジ部
３ｅ  下雄ネジ部
３ｆ  段差部
４  パッキン
５  袋ナット
５ａ  雌ネジ部
５ｂ  鍔部
６  配管カバー
６ａ  円錐形部
６ｂ  フランジ部
７  袋ナット
７ａ  雌ネジ部
７ｂ  鍔部
１３  ソケット
１３ａ  挿通筒部
１３ｂ  上雌ネジ部
１３ｃ  下雌ネジ部
１５，１７  締め付け部材
１５ｂ，１７ｂ  雄ネジ部
１５ｃ，１７ｃ  通し孔
Ｃ２  配管芯
Ｃ３  ソケット芯
【図１】
0003893589.tif 000002
【図２】
0003893589.tif 000003
【図３】
0003893589.tif 000004
【図４】
0003893589.tif 000005
【図５】
0003893589.tif 000006
【図６】
0003893589.tif 000007